(57)【特許請求の範囲】
【請求項１】
前部に開口部を有する洗浄槽と、食器洗い機本体に軸支され前記開口部を開閉自在に覆う蓋と、この蓋の軸支部とは反対側の位置に軸支され前記蓋の外方開口部を覆う把手部と前記蓋の裏側に突出しこの把手部と連動して回動する係止部を有するハンドルと、前記食器洗い機本体に固定した蓋ロック機構とを備え、前記ハンドルの把手部と係止部は、前記蓋が閉状態で前記蓋ロック機構に係合する方向に付勢され、前記蓋ロック機構は、ソレノイドとハートカムを用いてソレノイドの吸引のたびにロックとロック解除を繰り返し、前記係止部が係合した状態で運転中は前記ソレノイドの吸引によりロックし、一時停止時には前記ソレノイドの吸引によりロック解除するよう構成するとともに、前部に設けた穴に臨ませて設けた手動解除レバーを備え、前記手動解除レバーは、ばねにより前方に付勢されて前後方向に摺動可能に配設し、ロック状態のときのみ前記ハートカムに当接し、押すと前記ハートカムから外れロック解除するよう構成して、前記蓋の外方よりロックを手動で解除できるよう構成した食器洗い機。
【請求項２】
ハンドルの係止部は、蓋が開状態で、前記蓋の軸支部とは反対側の端面より突出させないようにした請求項１記載の食器洗い機。
【請求項３】
蓋ロック機構のハンドルの係止部に対向する方向には、前記ハンドルの係止部の斜面にほぼ接線となる傾斜部を形成した請求項１記載の食器洗い機。
【請求項４】
発光ランプなどにより表示動作を行う表示手段を備え、前記表示手段は、運転中に蓋ロック機構によりロックされているとき、ロック状態であることを表示するようにした請求項１記載の食器洗い機。
【請求項５】
運転中に一時停止したとき、蓋ロック機構は、所定の時間経過後にロック解除するようにした請求項１記載の食器洗い機。
【請求項６】
運転中に一時停止したとき、所定の時間内に蓋ロック機構のロック解除が行われない場合、異常報知するようにした請求項１記載の食器洗い機。
【請求項７】
蓋ロック機構は、食器洗い機本体に固定した周辺部材と前記蓋との隙間より外方から手動でロックを解除できるようにした請求項１記載の食器洗い機。
【請求項８】
運転中に手動によるロック解除が行われたとき、蓋を開けられないように再度ロックするようにした請求項１または７記載の食器洗い機。
【請求項９】
運転中に手動によるロック解除が所定の回数または所定時間行われたとき、異常報知するようにした請求項１または７記載の食器洗い機。
【発明の詳細な説明】
【０００１】
【発明の属する技術分野】
本発明は、食器の洗浄を行う食器洗い機に関するものである。
【０００２】
【従来の技術】
従来、この種の食器洗い機は、図１０に示すように構成していた。以下、その構成について説明する。
【０００３】
図に示すように、洗浄槽１は、食器類２を内部に収納し、底部に洗浄水を溜るよう構成し、前面は開口部となっている。洗浄ノズル３は、洗浄槽１内に回転自在に支持し、食器類２に向けて洗浄ポンプ４より送り込まれた洗浄水を噴出する。洗浄ポンプ４はモータ５によって駆動される。ヒータ６は洗浄槽１の底部に配設され洗浄水を加熱する。
【０００４】
蓋７は、洗浄槽１の前面開口部を前方に開閉自在に覆い、内部下部には支持部材８を取り付け、食器洗い機本体９に取り付けられた軸受け部材１０に軸支部１１を介して回転自在に保持されている。また、洗浄槽１の開口部の内壁の上面、左右側面には水封部材１２を取り付け、蓋７に取り付けた蓋裏板１３に蓋７が閉状態で密着し水封するよう構成している。
【０００５】
開閉ハンドル１４は、蓋７の内部上部に取り付け、蓋７を閉状態にロック可能とするもので、図１１に示すように、開閉ハンドル１４のハンドルアーム１５に連動してロックレバー１６を回動させ、ロックレバー１６のロック部１７を食器洗い機本体９に係合させて蓋７をロックできるよう構成している。マイクロスイッチ１８は、ハンドルアーム１５に連動して動作し、洗浄ポンプ４などの動作を制御するものである。
【０００６】
上記構成において動作を説明する。利用者が蓋７を前方に開け、食器類２を食器かご１９に配置し、洗浄槽１に収納して洗剤を入れた後運転を開始すると、まず、洗浄槽１の底部に所定量の水道水が給水される。そして  モータ５およびヒータ６に通電され、洗浄水は加熱されながら洗浄ポンプ４により食器類２に向けて洗浄ノズル３から噴出され、食器の汚れを落とす。洗浄中は水封部材１２によって洗浄槽１、蓋７間を水封し、洗浄槽１内に噴出される洗浄水が洗浄槽１外に漏れるのを防止する。
【０００７】
食器洗い機の運転中は、ハンドルアーム１５は閉の位置にあり、ロックレバー１６のロック部１７が食器洗い機本体９に係合し、蓋７をロックしている。また、運転中に蓋７を開けるときは、ハンドルアーム１５を開の位置に移動させることにより、ロックレバー１６がハンドルアーム１５と連動して回動し、ロック部１７が食器洗い機本体９からはずれ、蓋７を開けることができる。このとき、マイクロスイッチ１８がオフとなり、洗浄ポンプ４を停止する。
【０００８】
【発明が解決しようとする課題】
しかしながら上記の従来の構成では、ハンドルアーム１５が製品の正面から目立って見える上に、開閉動作が左右方向となるため、蓋７の開口部２０が大きな面積を占め、デザイン的に不具合いであるとともに、開閉操作時の操作性が悪いという問題を有していた。
【０００９】
本発明は上記従来の課題を解決するもので、蓋開閉操作時の左右方向の動きをなくすることにより操作性およびデザイン性を向上するとともに、蓋を開けたときの洗浄水の庫外への飛び散りを完全に防止することを第１の目的としている。
【００１０】
また、停電時のロック解除を製品の前面から行えるようにし、サービス性を向上することを第２の目的としている。
【００１１】
【課題を解決するための手段】
本発明は上記第１の目的を達成するために、食器洗い機本体に軸支された蓋により洗浄槽の前部に設けた開口部を開閉自在に覆い、この蓋の軸支部とは反対側の位置に軸支したハンドルに蓋の外方開口部を覆う把手部と蓋の裏側に突出しこの把手部と連動して回動する係止部を設ける。ハンドルの把手部と係止部は、蓋が閉状態で食器洗い機本体に固定した蓋ロック機構に係合する方向に付勢され、蓋ロック機構は、ソレノイドとハートカムを用いてソレノイドの吸引のたびにロックとロック解除を繰り返し、係止部が係合した状態で運転中はソレノイドの吸引によりロックし、一時停止時にはソレノイドの吸引によりロック解除するよう構成するとともに、前部に設けた穴に臨ませて設けた手動解除レバーを備え、前記手動解除レバーは、ばねにより前方に付勢されて前後方向に摺動可能に配設し、ロック状態のときのみ前記ハートカムに当接し、押すと前記ハートカムから外れロック解除するよう構成して、前記蓋の外方よりロックを手動で解除できるよう構成したものである。
【００１２】
これにより、開閉操作時の左右方向の動きをなくすることができて、操作性およびデザイン性を向上できるとともに、蓋を開けたときの洗浄水の庫外への飛び散りを完全に防止することができる。
【００１３】
また、上記第２の目的を達成するために、洗浄槽の開口部を蓋により開閉自在に覆い、運転中は蓋ロック機構により蓋を閉状態で開けられないようにロックする。この蓋ロック機構は、蓋の外方よりロックを手動で解除できるよう構成したものである。
【００１４】
これにより、停電時のロック解除を製品の前面から容易に行うことができ、サービス性を向上することができる。
【００１５】
【発明の実施の形態】
本発明の請求項１に記載の発明は、前部に開口部を有する洗浄槽と、食器洗い機本体に軸支され前記開口部を開閉自在に覆う蓋と、この蓋の軸支部とは反対側の位置に軸支され前記蓋の外方開口部を覆う把手部と前記蓋の裏側に突出しこの把手部と連動して回動する係止部を有するハンドルと、前記食器洗い機本体に固定した蓋ロック機構とを備え、前記ハンドルの把手部と係止部は、前記蓋が閉状態で前記蓋ロック機構に係合する方向に付勢され、前記蓋ロック機構は、ソレノイドとハートカムを用いてソレノイドの吸引のたびにロックとロック解除を繰り返し、前記係止部が係合した状態で運転中は前記ソレノイドの吸引によりロックし、一時停止時には前記ソレノイドの吸引によりロック解除するよう構成するとともに、前部に設けた穴に臨ませて設けた手動解除レバーを備え、前記手動解除レバーは、ばねにより前方に付勢されて前後方向に摺動可能に配設し、ロック状態のときのみ前記ハートカムに当接し、押すと前記ハートカムから外れロック解除するよう構成して、前記蓋の外方よりロックを手動で解除できるよう構成したものであり、蓋の開閉操作時のハンドルの左右方向の動きがなくなり、蓋を押すだけで閉まりハンドルを軽く握るだけで蓋を開けられるため、操作性を向上できるとともに、前面から見える把手部のえぐりも小さくできてデザイン性を向上することができ、さらに運転中に蓋を開ける時は一時停止してからでないと開けられないので、蓋を開けたときの洗浄水の庫外への飛び散りを防止できる。また、停電時のロック解除を容易に行うことができ、サービス性を向上することができる。
【００１６】
請求項２に記載の発明は、上記請求項１に記載の発明において、ハンドルの係止部は、蓋が開状態で、前記蓋の軸支部とは反対側の端面より突出させないようにしたものであり、蓋が開いているときに使用者が係止部に足を引っ掛けたりすることによる怪我を防止することができる。
【００１７】
請求項３に記載の発明は、上記請求項１に記載の発明において、蓋ロック機構のハンドルの係止部に対向する方向には、前記ハンドルの係止部の斜面にほぼ接線となる傾斜部を形成したものであり、使用者が蓋を閉めるとき、係止部が蓋ロック機構に係止するまでの動きをスムーズにできるとともに、蓋を閉めるときに必要な操作力を低減でき、操作性を向上することができる。
【００１８】
請求項４に記載の発明は、上記請求項１に記載の発明において、発光ランプなどにより表示動作を行う表示手段を備え、前記表示手段は、運転中に蓋ロック機構によりロックされているとき、ロック状態であることを表示するようにしたものであり、ロック中にもかかわらず使用者が誤って無理に蓋を開けるような事態を防止でき、操作性を向上できるとともに、無理な力がかかることによる蓋ロック機構などの強度低下も防止できる。
【００１９】
請求項５に記載の発明は、上記請求項１に記載の発明において、運転中に一時停止したとき、蓋ロック機構は、所定の時間経過後にロック解除するようにしたものであり、運転中に蓋を開けたときの洗浄水の庫外への飛び散りを完全に防止することができる。
【００２０】
請求項６に記載の発明は、上記請求項１に記載の発明において、運転中に一時停止したとき、所定の時間内に蓋ロック機構のロック解除が行われない場合、異常報知するようにしたものであり、たとえば、蓋ロック機構の故障等でロック解除が行えない状態が発生した場合に、使用者に知らせることができ、迅速なサービスを受けることができる。また、一時停止をするとき、把手部を握りながら蓋ロック機構に故意に負荷を加えてロック解除させる等、やるべきでない操作を行ったことを警告して知らせるとともに、安全側に運転を停止できる。
【００２１】
請求項７に記載の発明は、上記請求項１に記載の発明において、蓋ロック機構は、食器洗い機本体に固定した周辺部材と前記蓋との隙間より外方から手動でロックを解除できるようにしたものであり、停電時のロック解除を容易に行うことができ、サービス性を向上することができる。
【００２２】
請求項８に記載の発明は、上記請求項１または７に記載の発明において、運転中に手動によるロック解除が行われたとき、蓋を開けられないように再度ロックするようにしたものであり、使用者が運転中に誤って手動ロック解除を行った場合でも、支障なく運転を続行することができる。
【００２３】
請求項９に記載の発明は、上記請求項１または７に記載の発明において、運転中に手動によるロック解除が所定の回数または所定時間行われたとき、異常報知するようにしたものであり、使用者が運転中に故意に手動ロック解除を繰り返し行ったとき、やるべきでない操作であることを警告して知らせるとともに、安全側に運転を停止できる。
【００２４】
【実施例】
以下、本発明の実施例について、図面を参照しながら説明する。なお、従来例と同じ構成のものは同一符号を付して説明を省略する。
【００２５】
（実施例１）
図１および図２に示すように、洗浄槽２１は、前部に開口部を有し、食器洗い機本体２２下部の軸支部１１に軸支された蓋２３により開口部を開閉自在に覆っている。蓋２３の軸支部１１とは反対側の位置となる上部内部に、ハンドル２４を軸２５によって回動自在に軸支している。
【００２６】
このハンドル２４は、前部に把手部２６を有し、蓋２３の外方開口部２７を覆うとともに、蓋２３の裏側に取り付けた蓋裏板２８の穴部２９より後方に伸びる係止部３０を有している。軸２５に取り付けたばね３１により把手部２６および係止部３０は蓋２３が閉の状態で蓋ロック機構３２に係合する方向に付勢されている。
【００２７】
蓋ロック機構３２は、食器洗い機本体２２に取り付け、前部にばね３３により下方向に付勢され、上下方向に摺動可能な係止部挿入板３４を設け、蓋２３が閉まった状態で、係止部３０が蓋ロック機構３２に係合するとともに、係止部挿入板３４を上方向に押し上げる。この係止部挿入板３４の後方にソレノイド３５の吸引により後方に摺動可能な操作板３６を配設し、ハートカム３７によりソレノイド３５の吸引を繰り返すたびに前後方向に所定量ずれた位置で保持される。
【００２８】
図１に示す状態は、係止部挿入板３４と操作板３６のロック部３８とが当接し、把手部２６を握っても係止部３０が蓋ロック機構３２から外れないロック状態を示しており、操作板３６によって洗浄ポンプ等の負荷を動作させるスイッチ３９がオンになっている。
【００２９】
この状態から、さらにソレノイド３５が１回吸引すると、操作板３６が所定量前方に移動して保持され、ロック部３８が離れるとともにスイッチ３９もオフとなり、負荷が停止するとともに、把手部２６を握ると係止部３０が係止部挿入板３４を押し下げるので、係止部３０が蓋ロック機構３２から外れることが可能となり、蓋２３を開けることが可能なロック解除の状態となる。
【００３０】
このように蓋ロック機構３２は、ソレノイド３５の吸引のたびにロック、ロック解除を繰り返す機能を有している。
【００３１】
また、ハンドル２４の係止部３０は、蓋２３が開状態で、蓋２３の軸支部とは反対側の端面４１より突出させないようにしている。さらに、蓋ロック機構３２のハンドル２４の係止部３０に対向する方向（図１では食器洗い機の前方）には、ハンドル２４の係止部３０の斜面４２にほぼ接線となる傾斜部４３を形成している。
【００３２】
上記構成において動作を説明する。使用者が食器２を洗浄槽２１内にセットした後、蓋２３を閉める。このとき、係止部３０は蓋２３を押す力により下方向に回動しながら蓋ロック機構３２に係合して蓋閉の状態となる。洗浄槽２１の開口部に取り付けた水封部材４０の反発力、ばね３１、３３の付勢力を適当に設定すれば軽い操作力で蓋２３を閉めることができる。
【００３３】
また、蓋２３を開けるときは、把手部２７を軽く握るだけで係止部３０が蓋ロック機構３２から外れ蓋２３が開く。
【００３４】
このように、蓋２３の開閉時の操作性が向上するとともに、把手部２６は上下方向にわずかに回動するだけなので蓋２３の開口部２７も小さくでき、デザイン性も向上する。
【００３５】
なお、上述のようにワンタッチで蓋２３が開けられるようにすると、運転中に洗浄槽２１内に洗浄水が飛散しているときに蓋２３を開けると、外部に水が飛び散る恐れがあるが、運転中は蓋ロック機構３２により蓋２３が開かないようにロックし、一時停止させたときにソレノイド３５を１回吸引させてロック解除することにより蓋開時の動作を２モーションにでき、水の飛び散りを防げる。
【００３６】
また、ハンドル２４の係止部３０は、蓋２３の開状態で、蓋２３の軸支部とは反対側の端面４１より突出させないので、係止部３０の頂点は蓋２３が開いた状態で蓋２３の上面４１よりも突出しない位置で保持されるため、蓋２３が開いているとき、使用者が係止部３０に足を引っ掛けたりすることによる怪我を防止することができるとともに、何かに当てて係止部３０が変形するのを防止できる。
【００３７】
また、蓋ロック機構３２のハンドル２４の係止部３０に対向する方向には、ハンドル２４の係止部３０の斜面４２にほぼ接線となる傾斜部４３を形成しているので、使用者が蓋２３を閉めるとき、係止部３０が傾斜部４３に当たり下方向に回動しながら蓋ロック機構３２に係止するまでの動きをスムーズにできるとともに、蓋２３を閉めるときに必要な操作力も低減でき、操作性を向上することができる。
【００３８】
なお、本実施例では、蓋２３が前方に開くタイプの食器洗い機の例を示したが、蓋が上方に開くタイプであってもよい。
【００３９】
（実施例２）
図３に示すように、操作表示部４４は、蓋２３の前面に設け、電源スイッチ４５ａ、スタート／一時停止スイッチ４５ｂなどのスイッチと、進行表示部４６ａ、ドアロック表示部４６ｂ、異常表示部４６ｃなどの表示部（表示手段）とで構成している。ドアロック表示部４６ｂは、蓋ロック機構３２内のスイッチ３９がオンのとき（ロック状態）に点灯し、オフのとき（ロック解除状態）に消灯するようにしている。他の構成は上記実施例１と同じである。
【００４０】
上記構成において動作を説明する。使用者が食器２を洗浄槽２１内にセットした後、蓋２３を閉める。このとき、係止部３０は蓋２３を押す力により下方向に回動しながら蓋ロック機構３２に係合して蓋閉の状態となる。
【００４１】
この状態で、スタート／一時停止スイッチ４５ｂをオンして運転をスタートすると、蓋ロック機構３２内のソレノイド３５が吸引し、係止部挿入板３４と操作板３６のロック部３８とが当接してロック状態となり、操作板３６によってスイッチ３９がオンになり、ドアロック表示部４６ｂが点灯し、運転中蓋２３が開かないようにロックされた状態を使用者に明確に知らしめることができる。
【００４２】
使用者が運転中に蓋２３を開けたいとき、ロック状態であることがわからなければ、把手部２６に無理な力をかけて開けようとし、蓋ロック機構３２の破損を招く恐れがあるが、上述の構成により、ロック中にもかかわらず使用者が誤って無理に蓋２３を開けるような事態を防止でき、操作性を向上することができるとともに、蓋ロック機構３２などの強度低下も防止できる。
【００４３】
（実施例３）
図１に示す蓋ロック機構３２は、運転中に一時停止したとき、所定の時間（たとえば、０．５秒）経過後に、ソレノイド３５を動作させてロック解除するように構成している。他の構成は上記実施例１と同じである。
【００４４】
上記構成において図４を参照しながら動作を説明する。ステップ６１で使用者が運転をスタートすると、ステップ６２で蓋ロック機構３２内のソレノイド３５に通電して吸引し、ステップ６３でロック状態となり、ステップ６４で運転が進行する。ステップ６４で運転が終了するとステップ６５へ進み、終了する。
【００４５】
運転の途中で使用者が蓋２３を開けるため、ステップ６６でスタート／一時停止スイッチ４５ｂを押すと、ステップ６７で洗浄ポンプが停止する。その後、ステップ６８で所定の時間（０．５秒）経過すると、ステップ６９でソレノイド３５に再度通電して吸引させ、ステップ７０でロック解除状態とし、ステップ７１へ進み、待機する。
【００４６】
この遅延時間を設けることにより、一時停止した後、蓋２３が開けられるときには洗浄槽２１内に噴射されている洗浄水はない状態になり、蓋２３を開けたときの洗浄水の庫外への飛び散りを完全に防止することができる。
【００４７】
（実施例４）
図３に示す異常表示部４６ｃは、運転中に一時停止したとき、所定の時間（たとえば、２秒）内に蓋ロック機構３２のロック解除が行われない場合、異常報知するようにしている。他の構成は上記実施例１〜３と同じである。
【００４８】
上記構成において図５を参照しながら動作を説明する。なお、ステップ６１からステップ６６までの動作は上記実施例３の動作と同じであるので説明を省略する。
【００４９】
ステップ６６にてスタート／一時停止スイッチ４５ｂを押すと、ステップ７２でソレノイド３５に通電して吸引し、ステップ７３を経てステップ７４でロックが解除されたかを判定し、ロックが解除されるとステップ７５へ進み、ロック解除の状態で待機する。
【００５０】
しかし、たとえば、操作板３６の摺動抵抗が何らかの原因で大きくなる等の蓋ロック機構３２の不具合が生じ、スタート／一時停止スイッチ４５ｂを押してもロック解除が正常に行われない場合は、スイッチ３９がオフしないことからロック解除の状態になっていないことを検知して、ステップ７２に戻り、再度ソレノイド３５に通電して吸引し、ロック解除状態になるまでステップ７２〜ステップ７４を繰り返す。
【００５１】
一方、一時停止してからロック解除されるまでの経過時間の計時を行い、ステップ７３で所定の時間（２秒）経過してもロック解除が行えない状態が発生した場合、蓋ロック機構３２の故障が発生したと判断し、ステップ７６で操作表示部４４に設けた異常表示部４６ｃにより異常報知し、ステップ７７で停止する。したがって、使用者に知らせて迅速なサービスを受けることができる。
【００５２】
なお、本実施例では、一時停止してからロック解除されるまでの経過時間の計時を行い、所定の時間経過してもロック解除が行えない場合、異常報知しているが、ソレノイド３５の吸引回数をカウントし、所定の回数吸引してもロック解除とならない場合に異常報知させてもよい。
【００５３】
また、蓋ロック機構３２はロック状態のとき、把手部２６を強く握ると、係止部３０により係止部挿入板３４が下方向に押されロック部３８同士が押し付けられているため、この状態で、スタート／一時停止スイッチ４５ｂを押してロック解除しようとしても操作板３６が動かず、ロック解除ができない現象が起こる。このような状況が発生した場合も同様に、一時停止してからの時間経過またはソレノイド３５の吸引回数を計量し、所定量に達した後異常報知をさせる。
【００５４】
このように、一時停止をするときに、把手部２６を握りながら蓋ロック機構３２に故意に負荷を加えてロック解除させる等、やるべきでない操作を行ったことを警告して知らせるとともに、安全側に運転を停止できる。
【００５５】
（実施例５）
図６に示すように、水封部材４７は、洗浄槽２１の開口部に取り付け蓋２３の閉状態で蓋裏板２８に密着するもので、内部に中空部４７ａを設けるとともに、洗浄槽２１の内側の側壁４７ｂに庫外側に凹面を形成している。他の構成は上記実施例１と同じである。
【００５６】
上記構成において動作を説明すると、蓋２３が閉まるとき、水封部材４７のシール面４７ｃが蓋裏板２８により後方に押され、水封部材４７が変形して水封する。このときの反発力が蓋２３を閉めるときの操作力に影響する。そこで、水封部材４７の側壁４７ｂを庫外側に凹面とすることにより、シール面４７ｃを所定量変形させるに必要な力を低減することができ、蓋２３を閉めるときに必要な操作力を少なくできる。
【００５７】
なお、シール面４７ｃの変形量は減らさずに、所定のシール代を確保した上で、たとえば、シリコン等の復元性の優れた材質を使うことにより、水封性能を低下させることなく、蓋２３を閉めるときの操作力を低減でき、操作性を向上することができる。
【００５８】
また、本実施例では、側壁４７ｂを１つの曲率で庫外側に凹面としているが、局部的に庫外側に向かう切り込みを有した凹部を有するえぐれた形状であってもよい。
【００５９】
（実施例６）
図７に示すように、蓋ロック機構４８は、食器洗い機本体に取り付け、前部に上下方向に摺動可能な係止部挿入板（図示せず）を設け、蓋２３が閉まった状態で、係止部３０が蓋ロック機構４８に係合するとともに、係止部挿入板３４を上方向に押し上げる。この係止部挿入板の後方にソレノイド３５の吸引により後方に摺動可能な操作板３６を配設し、ハートカム３７によりソレノイド３５の吸引を繰り返すたびに前後方向に所定量ずれた位置で保持される。
【００６０】
図７に示す状態は、ハンドル２４の把手部２６を握っても係止部３０が蓋ロック機構４８から外れないロック状態を示しており、操作板３６によって洗浄ポンプ等の負荷を動作させるスイッチ３９がオンになっている。
【００６１】
この状態から、さらにソレノイド３５が１回吸引すると、操作板３６が所定量前方に移動して保持され、スイッチ３９もオフとなり、負荷が停止するとともに、把手部２６を握ると係止部３０が蓋ロック機構３２から外れることが可能となり、蓋２３を開けることが可能なロック解除の状態となる。このように蓋ロック機構４８は、ソレノイド３５の吸引のたびにロック、ロック解除を繰り返す機能を有している。
【００６２】
蓋ロック機構４８の前部には穴４９を設け、ばね５０により前方に付勢された手動解除レバー５１を前後方向に摺動可能に配設している。この穴４９は蓋２３が閉められた状態で、食器洗い機本体上部に配設された周辺部材５２と蓋２３の隙間５３から前方より見える位置にある。
【００６３】
手動解除レバー５１の前部５１ａは自然状態で穴４９を貫通しており、後部５１ｂはロック状態のときのみハートカム３７に当接し、操作板３６をロック時の位置に保持している。他の構成は上記実施例１と同じである。
【００６４】
上記構成において動作を説明する。なお、ロック、ロック解除の動作は上記実施例１の動作と同じであるので説明を省略する。
【００６５】
蓋ロック機構４８は、運転中に停電した場合にはロック状態のままになり、停電が復帰するまで蓋２３が開けられない状態になる。停電時にロック解除を行うときは、図７に示す状態で、隙間５３から前方より精密ドライバー等の細い棒で手動解除レバー５１を押すと、後部５１ｂがハートカム３７から外れ、操作板３６がロック解除の位置に移動し、蓋２３が開けられる状態になる。
【００６６】
したがって、使用者が前方より手動解除レバー５１を押すだけで、食器洗い機をビルトインされているキッチンから引き出さなくても、容易に手動でのロック解除ができる。また、隙間５３は広く取る必要はないので、デザイン上の悪影響を与えることもない。よって停電が復帰するまで待つ必要もなく、蓋２３を開けて洗浄槽２１内の食器を取り出すことがデザイン性を低下させることなく可能となり、不必要なサービス修理を受けたりすることが防げる。
【００６７】
なお、本実施例では、蓋２３が前方に開き、ビルトインされることを想定した例を示したが、蓋２３が上方に開くタイプでもよく、また、手動によるロック解除は隙間５３だけに限定せず、蓋２３の外方からできるのであればよい。
【００６８】
（実施例７）
図７に示す蓋ロック機構４８は、運転中に手動によるロック解除が行われたとき、蓋２３を開けられないように再度ロックするように構成している。他の構成は上記実施例６と同じである。
【００６９】
上記構成において図８を参照しながら動作を説明する。なお、ステップ６１からステップ６５までの動作は上記実施例３の動作と同じであるので説明を省略する。
【００７０】
使用者が前方より手動解除レバー５１を押して手動でロック解除を行う手動ロック解除動作は、基本的に停電時にロック解除ができないときに行う操作であり、通常の運転中に誤って操作した時には食器洗い機の運転に影響を及ぼさないことが望まれる。
【００７１】
よって運転をスタートした後、ロック状態で運転が進行しているとき、ステップ７８で手動解除レバー５１を押して手動ロック解除動作をすると、ステップ７９で上記実施例６で説明したように、一時的にロック解除の状態となる。このとき、スイッチ３９がオフになることで、ロック状態であるべきときにロック解除されたことが検知し、異常が発生したことを認識する。
【００７２】
もし運転中にこの現象が生じたのであれば、ステップ８０で再度ソレノイド３５に通電して吸引させ、ステップ８１でロック状態に復帰させた後に、ステップ６４に戻り、運転を続行させる。
【００７３】
これにより、使用者が運転中に誤って手動ロック解除を行っても、運転が支障なく続行することができる。
【００７４】
（実施例８）
図７に示す蓋ロック機構４８は、運転中に手動によるロック解除が所定の回数または所定時間行われたとき、図３に示す異常表示部４６ｃにより異常報知するように構成している。他の構成は上記実施例６と同じである。
【００７５】
上記構成において図９を参照しながら動作を説明する。なお、ステップ６１からステップ６５までの動作およびステップ７８からステップ８１までの動作は上記実施例７の動作と同じであるので説明を省略する。
【００７６】
運転中、ステップ７８でロック状態で手動解除レバー５１を押すと、再度ソレノイド３５を吸引し、ロック状態に復帰させる。このとき、使用者が運転中に手動ロック解除動作を故意に繰り返し行った場合の対応として、手動ロック解除動作が行われた回数をスイッチ３９が何回オフしたかをカウントさせる。
【００７７】
そして、ステップ８２で所定の回数、たとえば３回までであれば、手動ロック解除動作が行われるたびにロック状態に復帰させることを繰り返し、運転を続行させる。手動ロック解除動作が３回を越えて行われると、ステップ８３で操作表示部４４に設けた異常表示部４６ｃにより異常報知し、ロック解除状態で運転を停止させる。
【００７８】
これにより、使用者が運転中に故意に手動ロック解除を繰り返し行った時、やるべきでない操作であることを警告して知らしめるとともに、安全側に運転を停止できる。
【００７９】
なお、手動解除レバー５１が押された回数の代わりに、押されつづけた時間をカウントしてもよい。
【００８０】
【発明の効果】
以上のように本発明の請求項１に記載の発明によれば、前部に開口部を有する洗浄槽と、食器洗い機本体に軸支され前記開口部を開閉自在に覆う蓋と、この蓋の軸支部とは反対側の位置に軸支され前記蓋の外方開口部を覆う把手部と前記蓋の裏側に突出しこの把手部と連動して回動する係止部を有するハンドルと、前記食器洗い機本体に固定した蓋ロック機構とを備え、前記ハンドルの把手部と係止部は、前記蓋が閉状態で前記蓋ロック機構に係合する方向に付勢され、前記蓋ロック機構は、ソレノイドとハートカムを用いてソレノイドの吸引のたびにロックとロック解除を繰り返し、前記係止部が係合した状態で運転中は前記ソレノイドの吸引によりロックし、一時停止時には前記ソレノイドの吸引によりロック解除するよう構成するとともに、前部に設けた穴に臨ませて設けた手動解除レバーを備え、前記手動解除レバーは、ばねにより前方に付勢されて前後方向に摺動可能に配設し、ロック状態のときのみ前記ハートカムに当接し、押すと前記ハートカムから外れロック解除するよう構成して、前記蓋の外方よりロックを手動で解除できるよう構成したから、蓋の開閉操作時のハンドルの左右方向の動きがなくなり、蓋を押すだけで閉まりハンドルを軽く握るだけで蓋を開けられるため、操作性を向上できるとともに、前面から見える把手部のえぐりも小さくできてデザイン性を向上することができ、さらに運転中に蓋を開ける時は一時停止してからでないと開けられないので、蓋を開けたときの洗浄水の庫外への飛び散りを防止できる。また、停電時のロック解除を容易に行うことができ、サービス性を向上することができる。
【００８１】
また、請求項２に記載の発明によれば、ハンドルの係止部は、蓋が開状態で、前記蓋の軸支部とは反対側の端面より突出させないようにしたから、蓋が開いているときに使用者が係止部に足を引っ掛けたりすることによる怪我を防止することができるとともに、ハンドルの変形等を防止できる。
【００８２】
また、請求項３に記載の発明によれば、蓋ロック機構のハンドルの係止部に対向する方向には、前記ハンドルの係止部の斜面にほぼ接線となる傾斜部を形成したから、使用者が蓋を閉めるとき、係止部が蓋ロック機構に係止するまでの動きをスムーズにできるとともに、蓋を閉めるときに必要な操作力を低減でき、操作性を向上することができる。
【００８３】
また、請求項４に記載の発明によれば、発光ランプなどにより表示動作を行う表示手段を備え、前記表示手段は、運転中に蓋ロック機構によりロックされているとき、ロック状態であることを表示するようにしたから、ロック中にもかかわらず使用者が誤って無理に蓋を開けるような事態を防止でき、操作性を向上できるとともに、無理な力がかかることによる蓋ロック機構などの強度低下も防止できる。
【００８４】
また、請求項５に記載の発明によれば、運転中に一時停止したとき、蓋ロック機構は、所定の時間経過後にロック解除するようにしたから、運転中に蓋を開けたときの洗浄水の庫外への飛び散りを完全に防止することができる。
【００８５】
また、請求項６に記載の発明によれば、運転中に一時停止したとき、所定の時間内に蓋ロック機構のロック解除が行われない場合、異常報知するようにしたから、たとえば、蓋ロック機構の故障等でロック解除が行えない状態が発生した場合に、使用者に知らせることができ、迅速なサービスを受けることができる。また、一時停止をするとき、把手部を握りながら蓋ロック機構に故意に負荷を加えてロック解除させる等、やるべきでない操作を行ったことを警告して知らせるとともに、安全側に運転を停止できる。
【００８６】
また、請求項７に記載の発明によれば、蓋ロック機構は、食器洗い機本体に固定した周辺部材と前記蓋との隙間より外方から手動でロックを解除できるようにしたから、停電時のロック解除を容易に行うことができ、サービス性を向上することができる。
【００８７】
また、請求項８に記載の発明によれば、運転中に手動によるロック解除が行われたとき、蓋を開けられないように再度ロックするようにしたから、使用者が運転中に誤って手動ロック解除を行った場合でも、支障なく運転を続行することができる。
【００８８】
また、請求項９に記載の発明によれば、運転中に手動によるロック解除が所定の回数または所定時間行われたとき、異常報知するようにしたから、使用者が運転中に故意に手動ロック解除を繰り返し行ったとき、やるべきでない操作であることを警告して知らせるとともに、安全側に運転を停止できる。
【図面の簡単な説明】
【図１】  本発明の第１の実施例の食器洗い機の要部断面図
【図２】  同食器洗い機の断面図
【図３】  本発明の第２の実施例の食器洗い機の一部切欠した正面図
【図４】  本発明の第３の実施例の食器洗い機の動作フローチャート
【図５】  本発明の第４の実施例の食器洗い機の動作フローチャート
【図６】  本発明の第５の実施例の食器洗い機の要部断面図
【図７】  本発明の第６の実施例の食器洗い機の要部断面図
【図８】  本発明の第７の実施例の食器洗い機の動作フローチャート
【図９】  本発明の第８の実施例の食器洗い機の動作フローチャート
【図１０】  従来の食器洗い機の断面図
【図１１】  同食器洗い機の要部平面図
【符号の説明】
１１  軸支部
２１  洗浄槽
２２  食器洗い機本体
２３  蓋
２４  ハンドル
２６  把手部
２７  外方開口部
３０  係止部
３２  蓋ロック機構
３５  ソレノイド
３７  ハートカム
５０  ばね
５１  手動解除レバー
【図１】
0003783413.tif 000002
【図２】
0003783413.tif 000003
【図３】
0003783413.tif 000004
【図４】
0003783413.tif 000005
【図５】
0003783413.tif 000006
【図６】
0003783413.tif 000007
【図７】
0003783413.tif 000008
【図８】
0003783413.tif 000009
【図９】
0003783413.tif 000010
【図１０】
0003783413.tif 000011
【図１１】
0003783413.tif 000012